(57)【要約】      （修正有）【課題】機能性及びデザイン性に優れ且つ安価なバーベキューコンロを提供する。【解決手段】四方が薄板の側板１ｆ〜１ｉで囲われ上方に網体を載置する外板１と、その内方に、上方に開口し内方で固形燃料を燃焼させる箱状の燃焼箱体２を有する、コンロ本体部分Ａ１を備えて、バーベキューコンロＡを構成する。さらに、前記側板１ｆ〜１ｉのうちの対面する一対の各側板１ｆと１ｈのそれぞれの両端部に脚体３が配置され、該脚体３が頂部３ａとその下方から延びる脚部３ｂを有し、対面する一対の各側板１ｆと１ｈの、それぞれ一方の端部に固定されている脚部３間及びそれぞれ他方の端部に固定されている脚体３間を、連結するガイドレール部材４が一対、前記外板１の内方に配設する。また、前記燃焼箱体２が、一対の前記ガイドレール部材４に支持されて、前記外板１の内方の空間から外方に引き出し自在に構成されている。【選択図】図１
0003173975.tif 000002
【実用新案登録請求の範囲】
【請求項１】
四方の側面が薄板の側板で囲われその上方に網体又は鉄板を載置する外板と、該外板の内方に、上方に開口し内方で固形燃料を燃焼させる箱状の燃焼箱体とを有する、コンロ本体部分を備えた、バーベキューコンロにおいて、
前記四方の側面を囲う前記側板のうちの対面する一対の各側板のそれぞれの両端部に脚体が配置されるとともに、
前記脚体が、前記一対の各側板の各端部に取着される頂部と、該頂部の下端から下方へ延びる脚部とを有し、
前記対面する一対の各側板の、それぞれ一方の端部に固定されている脚体間及びそれぞれ他方の端部に固定されている脚体間を、それぞれ連結するガイドレール部材が対峙するように前記外板の内方に配設され、
前記燃焼箱体が、前記対峙するように配設されている一対のガイドレール部材に支持されて、前記外板の内方の空間から外方に引き出し自在に構成されていることを特徴とするバーベキューコンロ。
【請求項２】
前記バーベキューコンロにおいて、前記一対の各側板が、コンロ本体部分の正面に位置する側板と背面に位置する側板であって、前記ガイドレール部材が前記コンロ本体部分の前後方向に延びるように配置されていることを特徴とする請求項１記載のバーベキューコンロ。
【請求項３】
前記正面に位置する側板の背面方に、第１の横設パイプの中央部分が左右方向に延びるように配置され、かかる第１の横設パイプの両端部に前記脚体の頂部がそれぞれ形成されているとともに、
前記背面に位置する側板の正面方に、第２の横設パイプの中央部分が左右方向に延びるように配置され、かかる第２の横設パイプの両端部に前記脚体の頂部がそれぞれ形成されていることを特徴とする請求項２記載のバーベキューコンロ。
【請求項４】
正面側に位置する左右の脚体がパイプ部材で構成されて、該左右の脚体と前記第１の横設パイプとが一体状に連結されて逆Ｕの字状の形態に形成されるとともに、
背面側に位置する左右の脚体がパイプ部材で構成されて、該左右の脚体と前記第２の横設パイプとが一体状に連結されて逆Ｕの字状の形態に形成され、
前記ガイドレール部材が薄板を軽量型鋼状に屈曲加工した部材で構成されており、
前記燃焼箱体が、前記ガイドレール部材に平行になったフランジ部を有しているとともに、該ガイドレール部材を間に挟むような状態で該フランジ部の下方にガイド部材を有し、前記燃焼箱体を手前に引き出したときに該燃焼箱体の手前側の部分が下方に下がることのないように、該燃焼箱体がガイドレール部材によって上下方向においてガイドされていることを特徴とする請求項３記載のバーベキューコンロ。
【考案の詳細な説明】
【技術分野】
【０００１】
本考案は、アウトドア等で使用されるバーベキューコンロの改良に関する。
【背景技術】
【０００２】
近年、我が国においても、アウトドア活動が活発になり、家族や仲間で、庭先やキャンプ場等においてバーベキューコンロを用いて、食事をすることが増加している。
【０００３】
このような余暇の過ごし方の変化に伴って、我が国においてもバーベキューコンロが普及してきた。
【０００４】
ところで、近年、バーベキューコンロについても、機能性やデザイン性の向上が盛んにおこなわれ、年ごとに、新たな機能を備え且つより優れたデザインのバーベキューコンロが提供されている。
例えば、内部で炭等が高温で燃焼することに起因して、バーベキューコンロの外板が熱で変色して外観が損なわれるのを防止するため、外板の内方に燃焼箱体を配置した二重壁構造にして、炭は燃焼箱体内の空間で燃焼させて、外板には燃焼している炭が直接接触して所定温度以上にならないような構成のバーベキューコンロが提案されている（特許文献１）。
【先行技術文献】
【特許文献】
【０００５】
【特許文献１】実開平５−６９５０１号公報。
【考案の概要】
【考案が解決しようとする課題】
【０００６】
前述した機能性やデザイン性の向上が求められる一方において、人件費の安い中国等で各種製品が生産され始めたことに起因して、製品の低価格化の波が押し寄せ、かかるバーベキューコンロにおいても例外ではない。
【０００７】
このため、メーカにとって、機能性とデザイン性の向上とともに、低価格で提供できなければならないという、相反するような課題の解決が求められる。
【０００８】
本考案は、このような状況に鑑みておこなわれたもので、機能性及びデザイン性に優れ且つ安価に提供し得るバーベキューコンロを提供することを目的とする。
【課題を解決するための手段】
【０００９】
本考案にかかるバーベキューコンロは、四方の側面が薄板の側板で囲われその上方に網体又は鉄板を載置する外板と、該外板の内方に、上方に開口し内方で固形燃料を燃焼させる箱状の燃焼箱体とを有する、コンロ本体部分を備えた、バーベキューコンロにおいて、
前記四方の側面を囲う前記側板のうちの対面する一対の各側板のそれぞれの両端部に脚体が配置されるとともに、
前記脚体が、前記一対の各側板の各端部に取着される頂部と、該頂部の下端から下方へ延びる脚部とを有し、
前記対面する一対の各側板の、それぞれ一方の端部に固定されている脚体間及びそれぞれ他方の端部に固定されている脚体間を、それぞれ連結するガイドレール部材が対峙するように前記外板の内方に配設され、
前記燃焼箱体が、前記対峙するように配設されている一対のガイドレール部材に支持されて、前記外板の内方の空間から外方に引き出し自在に構成されていることを特徴とする。
【００１０】
前述のように構成されたバーベキューコンロによると、燃焼箱体内に固形燃料（炭等）を入れたり追加したりする場合には、前記燃焼箱体を前記ガイドレール部材で支持して外板で囲まれた空間内から外部に引き出すことによって、外板上に載置され食材を載置する網体又は鉄板に邪魔されずに、簡単に必要な固形燃料を上方から追加することができる。
また、前記脚体の頂部やガイドレール部材が、外板により外方より覆われるため、スッキリした美しい外観を得ることができる。
また、このように構成すると、前記脚体の頂部とガイドレール部材とが前記コンロ本体部分の強度部材としても機能することから、前記外板をより薄くすることができるとともに、無駄な強度部材を設ける必要がなくなる。このため、部品点数と加工工数が削減できて、より安価に製造できるとともに、バーベキューコンロの軽量化を図ることができる。
また、前記燃焼箱体を外板で囲まれた空間内に収納すれば、それまでの使用で焼けて変色した燃焼箱体を外板の内部に隠すことができる。この場合に、外板には塗装をしたりあるいは該外板をステンレス板で構成しておけば、バーベキューコンロの美しい外観を長きにわたって維持することができる。
【００１１】
また、前記バーベキューコンロにおいて、前記一対の各側板が、コンロ本体部分の正面に位置する側板と背面に位置する側板であって、前記ガイドレール部材が前記コンロ本体部分の前後方向に延びるように配置されていると、燃焼箱体を手前側に引き出すことができて、炭等の固形燃料を燃焼箱体内へ追加するときに好ましい形態となる。
【００１２】
また、前記バーベキューコンロにおいて、前記正面に位置する側板の背面方に、第１の横設パイプの中央部分が左右方向に延びるように配置され、かかる第１の横設パイプの両端部に前記脚体の頂部がそれぞれ形成されているとともに、
前記背面に位置する側板の正面方に、第２の横設パイプの中央部分が左右方向に延びるように配置され、かかる第２の横設パイプの両端部に前記脚体の頂部がそれぞれ形成されていると、左右に配置されている前記ガイドレール部材の両側を、かかる第１の横設パイプと第２の横設パイプで連結することによって、平面視「ロ」の字状の形態の枠体を形成することができ、かかる枠体はこのバーベキューコンロの強度部材として機能する。
【００１３】
また、前記バーベキューコンロにおいて、正面側に位置する左右の脚体がパイプ部材で構成されて、該左右の脚体と前記第１の横設パイプとが一体状に連結されて逆Ｕの字状の形態に形成されるとともに、
背面側に位置する左右の脚体がパイプ部材で構成されて、該左右の脚体と前記第２の横設パイプとが一体状に連結されて逆Ｕの字状の形態に形成され、
前記ガイドレール部材が薄板を軽量型鋼状に屈曲加工した部材で構成されており、
前記燃焼箱体が、前記ガイドレール部材に平行になったフランジ部を有しているとともに、該ガイドレール部材を間に挟むような状態で該フランジ部の下方にガイド部材を有して、前記燃焼箱体を手前に引き出したときに該燃焼箱体の手前側の部分が下方に下がることのないように、該燃焼箱体がガイドレール部材によって上下方向においてガイドされていると、
左右の寸法が前後の寸法より長いバーベキューコンロである場合にも、第１の横設パイプと第２の横設パイプとが左右の強度部材として機能することから、さらに外板の正面及び背面の側板をより薄い板材で構成できることから、さらに軽量化を図れる上で好ましい構成となる。つまり、一般に、材料の断面二次モーメントが同じ場合に、型鋼状の部材よりパイプ状の部材の方が軽量化が可能であることから、左右の長さが長いことからより高い断面二次モーメントが求められる左右方向に第１の横設パイプと第２の横設パイプとが配置されることから、より軽量化が図れる点で、好ましい構成となる。また、前記燃焼箱体が前記ガイドレール部材で前述のように上下方向においてガイドされていると、燃焼箱体を外板から引き出したときにも、安定した状態となり、固形燃料の追加等がおこない易い構成となる。
【考案の効果】
【００１４】
前述のように構成された本考案にかかるバーベキューコンロによると、機能性及びデザイン性に優れ且つ安価に提供可能なバーベキューコンロを提供することができる。
【図面の簡単な説明】
【００１５】
【図１】本考案の実施例にかかるバーベキューコンロの構成を示す図で、（ａ）は上方から見た全体平面図、（ｂ）は（ａ）のｂ−ｂ矢視方向から見た正面図、（ｃ）は（ａ）のｃ−ｃ矢視方向から見た右側面図、（ｄ）は燃焼箱体がガイドレール部材によってガイドされる部分を示す（ｂ）の部分拡大図である。
【図２】図１に示すバーベキューコンロの脚部とガイドレール部材とを組立てた状態を示す図で、（ａ）は正面から見た図、（ｂ）は（ａ）のｂ−ｂ矢視方向から見た右側面図である。
【考案を実施するための形態】
【００１６】
以下、本考案の実施例にかかるバーベキューコンロを図面を参照しながら具体的に説明する。
【実施例】
【００１７】
（実施例１）
以下、本考案の実施例にかかるバーベキューコンロを図面に基づいて説明する。
【００１８】
図１（ａ）〜（ｃ）に図示するように、本バーベキューコンロＡは、四方の側面を薄板の側板１ｆ，１ｇ，１ｈ，１ｉで囲むことによって構成される外板１と、その内方に、上方に開口し内方で炭等の固形燃料を燃焼させる箱体状の燃焼箱体２とを有する。前記外板１と燃焼箱体２とで、バーベキューコンロＡのコンロ本体部分Ａ１が構成されている。また、この実施例では、前記外板１の上端が前記燃焼箱体２の上端よりやや上方に位置し、かかる外板１の上端に網体（あるいは鉄板）９を載置できるように構成されている。
【００１９】
前記四方の側面を囲う前記側板１ｆ，１ｇ，１ｈ，１ｉのうちの対面する一対の各側板、この実施例の場合には、正面に位置する側板１ｆと背面に位置する側板１ｈの、各両端部の内側の面には、それぞれ、このバーベキューコンロＡの脚体３の頂部３ａが取着されている。
【００２０】
前記バーベキューコンロＡの四隅に位置するそれぞれの前記頂部３ａの下方に脚部３ｂが一体に取着されることによって、バーベキューコンロＡの脚体３が形成されている。つまり、前記頂部３ａと前記脚部３ｂによって、バーベキューコンロＡの脚体３が四隅に形成される。
また、この実施例では、図２（ａ）に図示するように、正面視において左右に位置する前記脚体３の頂部３ａは、一本の横設パイプ６の両端部を屈曲させることによって、該横設パイプ６と一体に形成されている。つまり、一本の横設パイプ６の両端部で略７５度〜８０度程度屈曲して、屈曲した両端部に前記頂部３ａが一体に形成されている。また、前記横設パイプ６の中央部位６ａは、水平に配置された状態となっている。このような両端に頂部３ａを有する横設パイプ６が、正面側と背面側に、それぞれ、第１の横設パイプ，第２の横設パイプとして配置されている。
【００２１】
また、図２（ａ），（ｂ）に図示するように、前記脚部３ｂは、嵌め合い式の継手構造によって、２本のパイプｂ１，ｂ２を前記頂部３ａの下方にそれぞれ継ぎ足して所定の長さＬ（図２（ａ）参照）になるよう構成されている。そして、前述のように前記中央部位６ａに対する前記頂部３ａの付け根の屈曲部が略７５度〜８０度程度屈曲しているため、図１（ｂ），（ｃ）に図示するように、脚体３は、上端側に比べて下端側で拡がった「ハ」の字状になって、安定性のある構造となっている。
【００２２】
また、図２（ａ）に図示するように、正面側に位置する左右の脚体３がパイプ部材で構成されて、該左右の脚体３と前記第１の横設パイプ６とが一体状になって、正面視において、逆Ｕの字状の形態に形成されている。同様に、一部図示されていないが、背面側に位置する左右の脚体３がパイプ部材で構成されて、該左右の脚体３と前記第２の横設パイプ６とが一体状になって、背面視において、逆Ｕの字状の形態に形成されている。
【００２３】
また、図１（ｃ）に図示するように、バーベキューコンロＡの右側に位置する前記頂部３ａ（図２（ｂ）参照）は、それぞれ、リベット８（あるいはビス）等によって、前記側板１ｆ，１ｉあるいは側板１ｈに複数箇所で固定されている。
また、一部図示されていないが、前記同様に、左側に位置する前記頂部３ａは、それぞれ、リベット８（あるいはビス）等によって、前記側板１ｆ，１ｇあるいは側板１ｈに複数箇所で固定されている。
もちろん、前記固定の手段については、リベットやビス等に限定されるものでなく、他の固定手段、例えば、スポット溶接によっておこなわれてもよい。
【００２４】
そして、バーベキューコンロＡの脚体３と第１の横設パイプ６の正面視を表した図２（ａ）及び右側面視を表した図２（ｂ）に図示するように、前記正面側（図２（ｂ）において左側）の脚体３の頂部３ａと背面側（図２（ｂ）において右側）の脚体３の頂部３ａ間が、それぞれ、ガイドレール部材４によって、接続されている。また、図２（ａ）に図示するように、バーベキューコンロＡの左側においても、前記右側と同じように、正面側の脚体３の頂部３ａと隠れて見えない背面側の脚体の各頂部間が、それぞれ、同じ形態の別のガイドレール部材４によって、接続されている。
前記ガイドレール部材４は、この実施例では、図２（ａ）に図示するように、薄板（板厚が０．８ｍｍ〜１．２ｍｍ程度の板）を略「コ」の字状（軽量チャンネル状）の軽量型鋼状に加工したものが使用されている。しかし、ガイドレール部材４としては、前記略「コ」の字状（軽量チャンネル状）の軽量型鋼状に限定されるものでなく、軽量アングル状の軽量型鋼やその他の形態の軽量型鋼状のものであってもよい。
【００２５】
図２（ａ），（ｂ）に図示するように、前述の如く、各脚体３うちの右側の２本の脚体３間および左側の２本の脚体３間を、それぞれ前後に延びるガイドレール部材４によって接続することによって、且つ、バーベキューコンロＡの正面側（前側）または背面側（後側）においてそれぞれ左右に延びるように延設されている第１の横設パイプ６と第２の横設パイプ６によって、平面視において四角形状（「ロ」の字状）の形態の枠体（強度部材となる枠体）を形成する。
加えて、前記四方の側面を囲む外板１が前述のように各頂部３ａに固定されることによって、つまり、これら外板１と前記ガイドレール４及び第１と第２の横設パイプ６が一体に固定されることによって、より強固な構造が実現する。
【００２６】
そして、前記ガイドレール部材４に、前記燃焼箱体２をスライド自在に載置することによって、前記外板１を構成する四方の側板１ｆ，１ｇ，１ｈ，１ｉで囲まれた平面視中央に燃焼箱体２を位置させることができ、また必要なときに外板１で囲まれた空間から外方（図１（ｃ）において左方）へ燃焼箱体２を引き出すことができる。また、外板１で囲まれた空間から前記燃焼箱体２を引き出した際に、該燃焼箱体２が手前側で下方に傾くことのないように、図１（ｄ），（ｂ）に図示するように、該燃焼箱体２の周囲（上端の外周縁）に平面状に形成されているフランジ部２ｆを有するとともに、その下方の外壁面に、突起状のガイド部材２ｇを、間に前記ガイドレール部材４を挟み込むような状態となるように配置している。このため、前記燃焼箱体２を手前側に引き出しても、前記フランジ部２ｆとガイド部材２ｇとが前記ガイドレール部材２でガイドされる。このため、該燃焼箱体２は、引き出されたときにも、外板１内方の空間にあるときと同じ状態（水平状態）を維持することが可能となっている。従って、上方から炭等の固形燃料を容易に追加することができる。
【００２７】
なお、この実施例では、前記燃焼箱体２の一部（この実施例では上面）にストッパーとして機能する突起（図示せず）が配置され、かかる突起が前記正面に位置する側板１ｆに当接することによって、該燃焼箱体２をそれ以上手前側へ引き出すことができないように構成されている。前記突起は燃焼箱体２のいずれの部位に配置してもよく、または突起を外板１側に配置して前記燃焼箱体２の枠に当接させることによって同じ機能を奏させるようにしてもよい。
また、前記燃焼箱体２は、前記網体９を上方に取り外せば、該燃焼箱体２の前後に設けられている取手１０（前方のもののみ図示）をもって上方に引き上げれば、外板１の内部から取り出すことができるように構成されている。
【００２８】
また、この実施例にかかるバーベキューコンロＡは、前記外板１の上方に、網体９（又は鉄板）を安定して載置することができるように、外板１の上端部を内側に逆Ｌ字状に屈曲して上端に面１ｕ（図１（ａ）参照）を形成し、さらに、内端（先端）をＬ字状に屈曲して平面部を有する段部１ｒを形成して、前記上端の面から下方へ偏位した載置部が形成されている。
【００２９】
さらに、前記側板１ｇ，１ｉには、取手５がそれぞれ取着されて、かかるバーベキューコンロＡ全体を持ち運びし易いようになっている。加えて、前記燃焼箱体２の手前側の側面に、同様の形態の取手７が取着されて、該燃焼箱体２を手前側に引き出すときあるいは戻すときに、該取手７を把持しておこなうことができるよう構成されている。
【００３０】
また、この実施例では、前記外板１をステンレス鋼で構成している。さらに、この実施例では、前記脚部３ｂもステンレス鋼で構成している。しかし、いずれも材質的にはメッキ鋼を用いても良く、あるいは通常の鋼材にペイント等で塗装したものを用いても良い。
【００３１】
そして、前述のように構成されているため、前記燃焼箱体２や脚体３の頂部３ａの上端部が、外板１の内方に隠れてしまうことから、極めて美しい外観を有することになる。また、外板１の下端をより下方まえ延設したような寸法にすると、前記頂部３ａ全体あるいは頂部３ａ及び脚部３ｂの上端部を外板１の内方に隠すようにすることもでき、かかる場合には、より重厚さのあるバーベキューコンロとなる。
【００３２】
また、前記燃焼箱体２は、図１（ｂ），（ｃ）に図示するように、正面視および側面視において逆台形状の形態をして、開口端側（上側）で平面積が大きく且つ底部で平面積が小さくなった形態をしているため、少量の固形燃料で広い範囲を加熱することができるようになっている。
【００３３】
しかして、前述のように構成された本実施例にかかるバーベキューコンロＡは、以下のような作用を奏する。つまり、
前述のように構成されたバーベキューコンロＡによると、燃焼箱体２内に固形燃料（炭等）を追加する場合には、前記燃焼箱体２を前記ガイドレール部材４上を外板１で囲まれた空間内から外部に引き出すことによって、外板１上に食材を載置した網体（又は鉄板）９をそのままにした状態で、簡単に必要な固形燃料を燃焼箱体２内に追加することができる。また、必要に応じて、このように燃焼箱体２を外方へ適宜引き出すことで、食材から熱源を遠ざけて食材が焦げるのを防止することもできる。
また、前記燃焼箱体２を外板１で囲まれた空間内に収納すれば、それまでの使用で焼けて変色した燃焼箱体２を外板１で囲まれた内方の空間に隠した状態にすることができる。この実施例のように、外板１をステンレス板で構成すると、あるいは塗装した鋼材で構成すると、バーベキューコンロの美しい外観をいつまでも維持することができる。さらに、前記脚部３の頂部３ａやガイドレール部材４が、外板１により外方から覆われるため、スッキリした美しい外観を得ることができる。
また、前述のように構成すると、前記頂部３ａを両端部に有する第１および第２の横設パイプ６と２本のガイドレール部材４とが平面視「ロ」の字状の形態の枠体を形成して、かかる枠体が前記コンロ本体部分Ａ１の強度部材として作用する。このため、前記外板１をより薄くすることができるとともに、無駄な強度部材を設ける必要がなくなる。このため、部品点数と加工工数とが削減できて、より安価に製造できるとともに、バーベキューコンロの軽量化を図ることができる。
【００３４】
本考案は、前記実施例に限定されるものでなく、本考案の技術的思想に基づく範囲において種々の形態で実施することが可能となることは言うまでもない。
【産業上の利用可能性】
【００３５】
本考案にかかるバーベキューコンロは、アウトドア等のコンロとして使用することができる。
【符号の説明】
【００３６】
Ａ…バーベキューコンロ
Ａ１…コンロ本体部分
１ｆ〜１ｉ…四方の側板
１…外板
２…燃焼箱体
３…脚体
３ａ…頂部
３ｂ…脚部
４…ガイドレール部材
【図１】
0003173975.tif 000003
【図２】
0003173975.tif 000004